(57)【要約】【課題】生体情報の視認性を確保したまま生体情報モニタの設定変更を行う事ができる入力ユニット、生体情報モニタ、生体情報システムを提供する。【解決手段】入力ユニット１０は、入力部１２の操作による移動に応じた第１座標を生体情報モニタ２０に送信し、入力部１２を介して特定操作が行われた場合に当該特定操作の発生を生体情報モニタ２０に送信する。生体情報モニタ２０は、被験者の生体情報を表示部２５に表示すると共に、表示部２５上の第１座標に対応する座標にカーソルを表示する。また生体情報モニタ２０は、特定操作の発生が生じた場合にカーソルの表示座標に基づき設定画面情報を入力ユニット１０に送信する。入力ユニット１０は、生体情報モニタ２０が生体情報を表示部２５に表示している際に、生体情報モニタ２０から受信した設定画面情報に基づいて生体情報モニタ２０の設定画面を表示する。【選択図】図８
2019087269.tif 000002
【特許請求の範囲】
【請求項１】
生体情報モニタと入力ユニットを有する生体情報システムであって、
前記入力ユニットは、入力部の操作による移動に応じた第１座標を前記生体情報モニタに送信し、前記入力部を介して特定操作が行われた場合に当該特定操作の発生を前記生体情報モニタに送信し、
前記生体情報モニタは、被験者の生体信号を基にした生体情報を表示するとともに、前記第１座標に対応する座標にカーソルを表示し、前記特定操作の発生が生じた場合に前記カーソルの表示座標に基づいて設定操作に関する設定画面情報を前記入力ユニットに送信し、
前記入力ユニットは、前記生体情報モニタが前記生体情報を表示している際に、前記生体情報モニタから受信した前記設定画面情報に基づいて前記生体情報モニタの設定画面を表示する、生体情報システム。
【請求項２】
生体情報の表示中の生体情報モニタの設定画面を表示する表示部と、
前記生体情報モニタへの設定情報の入力を受け付ける入力部と、
前記入力部に入力された設定情報を前記生体情報モニタに送信する通信部と、を有し、
前記通信部は、前記入力部の移動操作に応じた座標情報を前記生体情報モニタに送信し、前記入力部に特定操作が行われた場合に前記特定操作の発生を前記生体情報モニタに送信し、送信した前記座標情報と前記特定操作に対応する設定画面情報を受信し、
前記表示部は、前記生体情報モニタが生体情報の表示を行っている際に、前記設定画面情報を基にした前記生体情報モニタの設定変更のための画面を表示する、入力ユニット。
【請求項３】
前記表示部と前記入力部がタッチパネルとして一体化されていることを特徴とする請求項２に記載の入力ユニット。
【請求項４】
被験者の生体信号と、入力ユニットからの設定情報と、を受信する通信部と、
前記被験者の生体情報を表示する表示部と、
前記生体信号を前記生体情報に変換して前記表示部への表示制御を行うとともに、前記設定情報が入力された場合に前記表示部に前記生体情報を表示させたままバックグラウンドで自装置の設定変更を行う制御部と、
を備え、
前記通信部は、前記入力ユニットから座標情報と、行われた特定操作を示す操作情報と、を受信し、
前記制御部は、前記生体情報を前記表示部に表示し続けるように制御したうえで、当該座標情報に対応した座標にカーソルを表示するように制御し、前記カーソルの表示座標と前記操作情報とに基づいて自装置の設定にかかる設定画面情報を取得し、
前記通信部は、前記設定画面情報を前記入力ユニットに送信する、生体情報モニタ。
【発明の詳細な説明】
【技術分野】
【０００１】
本発明は入力ユニット、生体情報モニタ、及び生体情報システムに関する。
【背景技術】
【０００２】
近年の生体情報モニタは、様々なバイタルサイン（例えば血圧、動脈血酸素飽和度、体温、呼吸、心電図、心拍数、等）を測定して表示する。そのため医師等が必要な情報に的確にアクセスするために、ハードキー、プッシュスイッチ、トリムノブ等の操作が行われる。
【０００３】
ところで生体情報モニタは、病室のみならずオペ室やＩＣＵ等の様々な場所で使用される。生体情報モニタがオペ室やＩＣＵで使用される場合、生体情報モニタが操作者（医療スタッフ）の手の届きづらい場所に設置される場合も多い。この場合であっても、操作者は生体情報モニタを手動で操作しなければならず、操作性が著しく悪かった。
【０００４】
これに対し、患者の傍らに配置される入力ユニットを使用することもある。この入力ユニットは、生体情報モニタと別筐体であり、生体情報モニタを操作するためのハードキーを有するものがある。しかしながら入力ユニットのハードキーは、操作性には優れているものの機能が限定的であった。
【０００５】
なお特許文献１では、測定装置本体とは別のディスプレイ（別体ディスプレイ）を持つ酸素血中濃度の測定システムが開示されている。当該ディスプレイには、測定装置本体と同様の生体波形等が表示される（特許文献Ｆｉｇ．１等）。しかしながら特許文献１のシステムは、上述の別体ディスプレイを測定装置の設定変更に使用することを想定していない。そのため、上述のオペ室等での利用時における操作性の向上を図ることができない。
【先行技術文献】
【特許文献】
【０００６】
【特許文献１】米国特許出願公開第２０１３／０２２５９５２号明細書
【発明の概要】
【発明が解決しようとする課題】
【０００７】
上述のいずれの操作（生体情報モニタ本体の操作パネルを用いた操作、入力ユニットを用いた操作）においても、詳細な設定を行っている間には生体情報モニタ本体の表示ディスプレイに設定画面ウインドウが表示される。設定画面ウインドウが表示されることにより、被験者の測定値や生体波形の視認性が非常に悪くなる（または完全に見えなくなる）という問題があった。
【０００８】
すなわち上述の技術では生体情報の視認性を確保したまま生体情報モニタの設定変更を行うことができないという問題があった。
【０００９】
本発明は上述の課題に鑑みてなされたものであり、生体情報の視認性を確保したまま生体情報モニタの設定変更を行うことができる入力ユニット、生体情報モニタ、生体情報システムを提供することを主たる目的とする。
【課題を解決するための手段】
【００１０】
本発明にかかる生体情報システムの一態様は、
生体情報モニタと入力ユニットを有する生体情報システムであって、
前記入力ユニットは、入力部の操作による移動に応じた第１座標を前記生体情報モニタに送信し、前記入力部を介して特定操作が行われた場合に当該特定操作の発生を前記生体情報モニタに送信し、
前記生体情報モニタは、被験者の生体信号を基にした生体情報を表示するとともに、前記第１座標に対応する座標にカーソルを表示し、前記特定操作の発生が生じた場合に前記カーソルの表示座標に基づいて設定操作に関する設定画面情報を前記入力ユニットに送信し、
前記入力ユニットは、前記生体情報モニタが前記生体情報を表示している際に、前記生体情報モニタから受信した前記設定画面情報に基づいて前記生体情報モニタの設定画面を表示する、ものである。
【００１１】
本発明にかかる入力ユニットの一態様は、
生体情報の表示中の生体情報モニタの設定画面を表示する表示部と、
前記生体情報モニタへの設定情報の入力を受け付ける入力部と、
前記入力部に入力された設定情報を前記生体情報モニタに送信する通信部と、を有し、
前記通信部は、前記入力部の移動操作に応じた座標情報を前記生体情報モニタに送信し、前記入力部に特定操作が行われた場合に前記特定操作の発生を前記生体情報モニタに送信し、送信した前記座標情報と前記特定操作に対応する設定画面情報を受信し、
前記表示部は、前記生体情報モニタが生体情報の表示を行っている際に、前記設定画面情報を基にした前記生体情報モニタの設定変更のための画面を表示する、ものである。
【００１２】
また本発明にかかる生体情報モニタの一態様は、
被験者の生体信号と、入力ユニットからの設定情報と、を受信する通信部と、
前記被験者の生体情報を表示する表示部と、
前記生体信号を前記生体情報に変換して前記表示部への表示制御を行うとともに、前記設定情報が入力された場合に前記表示部に前記生体情報を表示させたままバックグラウンドで自装置の設定変更を行う制御部と、
を備え、
前記通信部は、前記入力ユニットから座標情報と、行われた特定操作を示す操作情報と、を受信し、
前記制御部は、前記生体情報を前記表示部に表示し続けるように制御したうえで、当該座標情報に対応した座標にカーソルを表示するように制御し、前記カーソルの表示座標と前記操作情報とに基づいて自装置の設定にかかる設定画面情報を取得し、
前記通信部は、前記設定画面情報を前記入力ユニットに送信する、ものである。
【００１３】
上述のシステム、入力ユニット、及び生体情報モニタは、生体情報モニタのカーソルを入力ユニットから遠隔操作し、生体情報モニタでの生体情報の表示を継続させたまま、生体情報モニタ側のカーソルの表示座標の表示内容に対応する設定を入力ユニット側から行うことができる。
【発明の効果】
【００１４】
本発明は、生体情報の視認性を確保したまま設定変更を行うことができる入力ユニット、生体情報モニタ、生体情報システムを提供することができる。
【図面の簡単な説明】
【００１５】
【図１】実施の形態１にかかる生体情報システムの使用イメージを示す図である。
【図２】実施の形態１にかかる入力ユニット１０の構成を示すブロック図である。
【図３】実施の形態１にかかる生体情報モニタ２０の構成を示すブロック図である。
【図４】実施の形態１にかかる表示入力部１２に表示させる表示画面の一例を示す図である。
【図５】実施の形態１にかかる入力ユニット１０からの設定情報の送信からの一連の処理の流れを示すフローチャートである。
【図６】実施の形態１にかかる表示入力部１２に表示させる表示画面の一例を示す図である。
【図７】変形例２にかかる制御部２２の表示制御を示すフローチャートである。
【図８】変形例３の動作イメージを示す図である。
【図９】変形例３の動作例を示すフローチャートである。
【発明を実施するための形態】
【００１６】
＜実施の形態１＞
以下、図面を参照して本発明の実施の形態について説明する。図１は、本実施の形態にかかる生体情報システム１の使用イメージを示す図である。生体情報システム１は、入力ユニット１０、及び生体情報モニタ２０を有する。
【００１７】
生体情報モニタ２０は、入力ユニット１０や被験者Ｐと離隔された位置に載置することができる。例えば生体情報モニタ２０は、オペ室の天井に吊り下げたり、棚の上に載置することができる。生体情報モニタ２０は、入力ユニット１０を介して被験者Ｐの生体信号を取得して、生体信号を視認可能な生体情報（例えば各種生体パラメータの波形や測定値）に変換する。そして生体情報モニタ２０は、生体情報の表示、及びアラームによる報知を行う。
【００１８】
入力ユニット１０は、載置場所は特に限定されないものの、主に被験者Ｐの近くであり、かつ操作者（医療スタッフ）が操作しやすい位置に設置される。入力ユニット１０は、被験者Ｐの各部位に取り付けられたセンサ群（カフ、プローブ等）から生体信号を取得する。操作者は、生体情報モニタ２０に対する各種の設定変更を、入力ユニット１０の入力インターフェイス（後述の表示入力部１２と同義であり、好適にはタッチパネル）を使用して行う。入力ユニット１０は、設定情報を接続先である生体情報モニタ２０に送信する。ここで設定情報とは、生体情報モニタ２０の各種の設定を変更するための指示を示す情報である。
【００１９】
ここで生体情報モニタ２０は、入力ユニット１０が操作されている間、及び入力ユニット１０からの設定情報を反映している間にも、被験者Ｐの生体情報（各種パラメータの測定値や波形）の表示を継続して行う。すなわち生体情報モニタ２０は、被験者Ｐの生体情報を表示したまま設定変更を行う。
【００２０】
図２及び図３を参照して、より詳細に生体情報システム１の動作及び構成について説明する。図２は、入力ユニット１０の内部構成を示すブロック図である。図３は、生体情報モニタ２０の内部構成を示すブロック図である。
【００２１】
はじめに図２を参照して入力ユニット１０について説明する。入力ユニット１０は、信号取得部１１、表示入力部１２、通信部１３、制御部１４、及び記憶部１５を備える。
【００２２】
信号取得部１１は、被験者Ｐに取り付けられた各種のセンサ（例えばディスポ電極、ＳｐＯ２プローブ等）から被験者Ｐの生体信号（心電図信号、脈波信号等）を取得する。被験者Ｐに取り付けられる各種のセンサは、一般的な生体情報モニタにおいて使用されるものと同等のものであれば良い。
【００２３】
表示入力部１２は、操作者に対する情報を表示する表示部として機能すると共に、操作者からの入力を受け付ける入力部としても機能する。表示入力部１２は、例えば一般的なタッチパネルであればよい。表示入力部１２は、主に生体情報モニタ２０の設定画面を表示する。操作者は、当該設定画面を参照して、生体情報モニタ２０の設定を行う。
【００２４】
通信部１３は、生体情報モニタ２０とのデータ送受信を行う。例えば通信部１３は、表示入力部１２の操作（つまり生体情報モニタ２０への設定情報）を生体情報モニタ２０に送信する。また通信部１３は、生体情報モニタ２０から送信された現在の設定状態を受信する。通信部１３は、有線通信機能または無線通信機能を実装したハードウェア（回路等）及びソフトウェアから構成される。すなわち入力ユニット１０と生体情報モニタ２０は、有線通信又は無線通信によりデータの送受信をすればよい。通信部１３の通信処理は、制御部１４によって制御される。
【００２５】
制御部１４は、入力ユニット１０の制御を行う処理部である。制御部１４は、記憶部１５から各種プログラムを読み出して実行することによって入力ユニット１０の各種制御を行う。なお制御処理の一部をハードウェアによって実装しても勿論構わない。
【００２６】
制御部１４の制御処理には、表示入力部１２の表示制御も含まれる。制御部１４は、通信部１３が生体情報モニタ２０から設定状態を受信した場合、当該設定状態に応じた表示画面をカスタマイズして表示入力部１２に表示させることができる。当該表示制御の例については、図６を参照して後述する。
【００２７】
記憶部１５は、入力ユニット１０の各種データを記憶する記憶装置である。たとえば記憶部１５は、ハードディスクであってもよく、入力ユニット１０に着脱可能な記憶装置（たとえばＵＳＢメモリ等）であってもよい。
【００２８】
続いて図３を参照して生体情報モニタ２０の構成について説明する。生体情報モニタ２０は、入力ユニット１０を介して入力された生体信号を基に各種生体パラメータ（血圧、心電図、心拍数、呼吸波形、体温等）の測定値や測定波形を表示する。生体情報モニタ２０は、通信部２１、制御部２２、スピーカ２３、記憶部２４、及び表示入力部２５を有する。
【００２９】
通信部２１は、入力ユニット１０とのデータ送受信を行う。例えば通信部２１は、入力ユニット１０から生体信号や設定情報等を受信する。ここで設定情報とは、前述のように生体情報モニタ２０の設定を変更させるための各種情報である。また通信部２１は、入力ユニット１０に対して現在の生体情報モニタ２０の設定状態（どのような設定が行われているか）を送信する。通信部２１は、有線通信機能または無線通信機能を実装したハードウェア（回路等）及びソフトウェアから構成される。通信部２１の通信処理は、制御部２２によって制御される。
【００３０】
制御部２２は、生体情報モニタ２０の各種制御を行う処理部である。制御部２２は、記憶部２４から各種プログラムを読み出して実行することによって生体情報モニタ２０の各種制御を行う。なお制御処理の一部をハードウェアによって実装しても勿論構わない。
【００３１】
制御部２２による制御処理には、生体信号から各種の生体情報（各種パラメータの測定値や測定波形）への変換、生体情報モニタ２０の表示制御（表示入力部２５の画面制御）、及び入力ユニット１０からの設定情報に応じた自装置の設定処理、入力ユニット１０内の制御部１４への設定処理及び測定制御、等を含む。また制御部２２は、算出した各種の生体情報が異常値であった場合に、スピーカ２３を介してアラーム音を出力する。
【００３２】
スピーカ２３は、制御部２２に応じて各種のアラーム音や報知音を出力する。記憶部２４は、生体情報モニタ２０の各種データを記憶する記憶装置である。記憶部２４は、例えば、生体情報モニタ２０に内蔵されたハードディスクであってもよく、生体情報モニタ２０に着脱可能な記憶装置（例えばＵＳＢメモリ等）であってもよい。
【００３３】
表示入力部２５は、操作者に対する情報を表示する表示部として機能すると共に、操作者からの入力を受け付ける入力部としても機能する。例えば表示入力部２５は、一般的なタッチパネルであればよい。ここで表示入力部２５は、主に被験者Ｐに関する各種生体パラメータの測定値または測定波形を表示する。上述のように入力ユニット１０は、生体情報モニタ２０の設定情報を送信する。表示入力部２５は、入力ユニット１０からの設定情報に応じた設定処理中にも被験者Ｐに関する各種生体パラメータの測定値や測定波形を表示する。この表示制御については、図５を参照して後述する。
【００３４】
以下、より詳細に入力ユニット１０及び生体情報モニタ２０の表示画面や動作制御について説明する。
【００３５】
はじめに図４を参照して基本的な生体情報システム１の動作について説明する。図４は、入力ユニット１０の表示入力部１２に表示させる表示画面の一例を示す図である。図４において表示画面３０は、生体情報モニタ２０の基本セットアップ用の設定画面である。表示画面３０は、画面上部に上位タブ（表示タブ３１、音タブ３２、記録タブ３３、カスタマイズキータブ３４、その他タブ３５）が設けられている。このように入力ユニット１０は、生体情報モニタ２０の設定画面を表示する構成である。そのため入力ユニット１０内の記憶部１５は、生体情報モニタ２０用の設定画面が定義されたプログラムを記憶している。
【００３６】
操作者は、この上位タブを指等で触ることにより、各設定用のタブを開く。本例では表示タブ３１が選択されているため、生体情報モニタ２０の表示に関する表示用設定項目３６が表示されている。操作者は、表示用設定項目３６内の所望のボタンを選択し（例えば「単位表示＝ＯＮ」）、送信ボタン３７を押下する。これにより制御部１４を介して通信部１３が設定情報（「単位表示＝ＯＮ」）を生体情報モニタ２０に対して送信する。
【００３７】
なお図４の表示画面３０は、あくまでも表示入力部１２に表示される生体情報モニタ２０の設定画面の一例であり、この他に各種生体パラメータ（ＳｐＯ２、心電図等）の表示設定画面や患者管理用の設定画面等が表示入力部１２上に表示され得る。またデータ送信のトリガは、送信ボタン３７の押下に限られず、その他の操作に対応付けられていてもよい。
【００３８】
入力ユニット１０からの設定情報の送信からの一連の処理の流れを図５を参照して説明する。入力ユニット１０内の通信部１３は、被験者Ｐから取得した生体信号を連続的に生体情報モニタ２０に送信する（Ｓ１１）。生体情報モニタ２０内の通信部２１は、生体信号を受信する（Ｓ１２）。そして制御部２２は、生体信号を生体波形（心電図等）や測定値（血圧値等）に変換して表示入力部２５上に表示する（Ｓ１２）。この表示処理は、被験者Ｐが測定対象となっている間は連続的に行われる（Ｓ１２）。
【００３９】
入力ユニット１０内の通信部１３は、表示入力部１２の操作による設定情報（生体情報モニタ２０に対する設定であり、例えば「単位表示＝ＯＮ」）の送信指示が行われた場合、当該設定情報を生体情報モニタ２０に送信する（Ｓ１３）。生体情報モニタ２０内の通信部２１は、生体信号に加えて設定情報を受信する（Ｓ１４）。そして制御部２２は、受信した設定情報を用いて生体情報モニタ２０（自装置）の設定の変更を行う（Ｓ１４）。この際に制御部２２は、生体波形（心電図等）や測定値（血圧値等）の表示を継続して行う（Ｓ１２）。
【００４０】
このように生体情報モニタ２０が生体波形（心電図等）や測定値（血圧値等）を表示させたまま、生体情報モニタ２０の設定変更が実行される。
【００４１】
図５の構成が基本的な入力ユニット１０及び生体情報モニタ２０の動作であるが、以下に示すような種々の変形が可能である。以下、変形例について説明する。
【００４２】
（変形例１）
第１の変形例として、入力ユニット１０の表示入力部１２において、現在の設定状態を確認しながら、設定情報を送信できる例を説明する。生体情報モニタ２０内の制御部２２は、現在の生体情報モニタ２０の設定状態を通信部２１を介して入力ユニット１０に送信する。ここで設定状態とは、生体情報モニタ２０において現在設定されている内容であり、例えば以下のような情報である。
[表示＝[ショートトレンド＝ＯＦＦ、掃引速度＝５０・・・]、音＝[・・・]、・・・]
【００４３】
なお設定状態の送信タイミングは任意のタイミングでよく、例えば生体情報モニタ２０の電源ＯＮの時点、１時間毎、設定変更が終了した時点、等であればよい。
【００４４】
入力ユニット１０の通信部１３は、生体情報モニタ２０から設定状態を受信する。受信した生体情報モニタ２０の設定状態は、記憶部１５において記憶される（記憶部１５に記憶されていた設定状態のデータが上書きされる）。制御部１４は、記憶部１５から生体情報モニタ２０の設定状態を読み出し、当該設定状態に応じて表示入力部１２に表示させる表示画面を生成する。すなわち表示入力部１２は、生体情報モニタ２０の設定状態に基づいた設定画面を表示する。設定状態に応じた表示画面の例を図６に示す。
【００４５】
図６では、現在設定されている値が白抜き表示で示されている。これにより操作者は、現在の生体情報モニタ２０の設定状態がどのようなものであるかを認識したうえで設定変更を行うことができる。なお図６はあくまでも一例であり、現在設定されている値とそうではない値が識別可能な表示形態であればこの他の表示画面であってもよい。
【００４６】
なお、この図６の表示から操作者の操作に応じて、色の反転表示が切り替わることが好ましい。例えば図６のように「単位表示＝ＯＮ」が選択されている場合において操作者がＯＦＦを選択した場合、「ＯＮ」のインターフェイスの背景が白となり（文字は黒）、「ＯＦＦ」のインターフェイスが白抜き文字に切り替わることが好ましい。
【００４７】
（変形例２）
また生体情報モニタ２０内の制御部２２は、操作された端末（すなわち表示入力部１２が操作されたか、または表示入力部２５が操作されたか）に応じて、表示入力部２５の表示を制御するようにしてもよい。以下、制御部２２の制御を中心に説明を行う。
【００４８】
本変形例において操作者は、表示入力部２５を操作して生体情報モニタ２０の設定を変更することもできる。すなわち操作者は、表示入力部１２に加えて表示入力部２５からも設定に関する操作を行う。図７は、本変形例にかかる制御部２２の表示制御を示すフローチャートである。
【００４９】
制御部２２は、設定情報の入力を検知する（Ｓ２１）。ここで設定情報は、表示入力部２５から入力される、又は表示入力部１２の操作によって通信部２１を介して入力される。制御部２２は、検知した設定情報の送信元が入力ユニット１０であるか否かを判断する（Ｓ２２）。すなわち制御部２２は、設定情報が表示入力部２５の操作（または生体情報モニタ２０の操作リモコン）により入力されたものであるか否かを判断する（Ｓ２２）。
【００５０】
設定情報が入力ユニット１０からの入力である場合（Ｓ２２：Ｙｅｓ）、制御部２２は図５に示す制御（Ｓ１２、Ｓ１４）と同様に生体波形（心電図等）や測定値（血圧値等）の表示を行いながらバックグラウンドで設定変更を行う（Ｓ２３）。
【００５１】
設定情報が入力ユニット１０により入力されたものではない、換言すると表示入力部２５の入力操作による場合（Ｓ２２：Ｎｏ）、制御部２２は生体波形（心電図等）や測定値（血圧値等）の表示画面に重畳させるようにして設定画面（図４）相当を表示入力部２５に表示させる（Ｓ２４）。
【００５２】
このように表示入力部２５を操作した場合、操作者は生体情報モニタ２０のすぐ近くにいる。そのため表示入力部２５に設定画面を表示して素早く設定を行わせることにより、設定変更の容易さを担保することができる。
【００５３】
（変形例３）
以下、第３の変形例を説明する。本変形例では、表示入力部１２のカーソル表示と、表示入力部２５上のカーソル表示と、が同期して動く点を特徴とする。
【００５４】
まず本変形例の動作イメージについて図８（Ａ）及び図８（Ｂ）を参照して説明する。はじめに図８（Ａ）を参照する。操作者は、入力ユニット１０の表示入力部１２を操作して、マウスカーソルを表示入力部１２上に表示させる。これに同期して生体情報モニタ２０上の表示入力部２５にマウスカーソルが対応位置（表示入力部１２におけるマウスカーソルの操作と対応する位置）に表示される。例えばマウスカーソルの表示開始時点では、表示入力部２５に表示されるマウスカーソルはそれぞれ画面中心の座標に表示すればよい。操作者は、生体情報モニタ２０上の表示入力部２５を参照しながら表示入力部１２を操作してマウスカーソル位置を動かす。ここで表示入力部１２上のマウスカーソルと表示入力部２５上のマウスカーソルは、同期して移動する。
【００５５】
また表示入力部２５に表示されるマウスカーソルの位置は、表示入力部１２に表示されたマウスカーソルの相対的な移動量に応じて設定してもよい。例えば表示入力部１２におかれた指の位置を始点とし、そこから移動した移動量に応じて、表示入力部２５上のマウスカーソルの位置を動かしてもよい。すなわち表示入力部１２の操作と対応するように表示入力部２５のマウスカーソルが表示されれば良い。
【００５６】
表示入力部２５の血圧の測定値の上にマウスカーソルが配置された状態で、操作者が表示入力部１２をダブルクリック（特定の操作）したとする。これに応じて画面表示が図８（Ｂ）の状態に切り替わる。図８（Ｂ）では、生体情報モニタ２０の表示入力部２５は、生体情報の測定値及び生体波形を表示する。一方、入力ユニット１０上の表示入力部１２には、血圧関係の設定画面（クリック位置に関連する表示画面）が表示される。
【００５７】
続いて図９を参照して、図８（Ａ）及び図８（Ｂ）に記載した動作の実装例を説明する。はじめに操作者の特定ボタン押下等に応じて、制御部１４は表示入力部１２上にマウスカーソルを表示する（Ｓ３１）。これと共に制御部１４は、マウスカーソルの表示が始まったことを通信部１３を介して生体情報モニタ２０に通知する（Ｓ３２）。
【００５８】
制御部２２は、通知に応じてマウスカーソルを測定値や波形の表示画面に重畳させるようにして表示させる（Ｓ３３）。制御部１４は、マウスカーソルの位置が移動する毎にカーソル操作情報（座標等）を検知する。そして通信部１３は、カーソル操作情報を生体情報モニタ２０に送信する（Ｓ３２）。制御部２２は、受信したカーソル操作情報（座標等）に応じて表示入力部２５上での対応位置にマウスカーソルを表示する（Ｓ３３）。
【００５９】
制御部１４は、特定の操作が行われた場合（例えばダブルクリックが行われた場合）、マウスカーソル操作を通信部１３を介して通知する（Ｓ３４）。制御部２２は、通信部２１を介して当該通知を受信する。制御部２２は、特定の操作が行われた際の表示入力部２５上のマウスカーソルの表示位置を基に、どの操作が行われたかを特定する（Ｓ３５）。この特定は、表示入力部２５に表示している表示内容と表示座標の関係から行えばよい。何らかの設定（生体パラメータに関する設定、被験者Ｐに関する設定等）を行うことが指定された場合、制御部２２は通信部２１を介して入力ユニット１０に設定画面の情報（どの設定画面を表示するのか等であり、設定画面情報とも呼称する。）を送信する（Ｓ３６）。制御部１４は、通信部１３を介して設定画面の情報を受信する。制御部１４は、受信した設定画面の情報に応じて、表示入力部１２に設定画面を表示する（Ｓ３７）。そして表示入力部２５には、引き続き通常の測定値や生体波形の表示が行われる（Ｓ３８）。
【００６０】
一方、生体情報モニタ２０における何らかの制御が指定された場合（ＮＩＢＰ等の測定開始の指示等）、制御部２２は指定された制御を実行する（Ｓ３９）。なお入力ユニット１０側での制御も必要とするような場合（例えば入力ユニット１０を介して被験者Ｐに取り付けられたカフを昇圧する場合）、制御部２２は制御内容を入力ユニット１０に通知する（Ｓ４０）。制御部１４は、通知内容に応じて制御を行う（Ｓ４１）。
【００６１】
このようにマウスカーソルの表示が同期していることにより、操作者は生体情報モニタ２０と離れた位置にいても波形表示画面を見ながらマウスカーソルの操作を容易に行うことができる。
【００６２】
また上述のようにマウスカーソルの操作位置の座標に応じた設定画面が表示入力部１２上に表示される。これにより、あたかも生体情報モニタ２０の画面上を触っている感覚で入力ユニット１０を操作することができる。なお、マウスカーソル以外のカーソルやその他の表示効果を同期させても勿論構わない。
【００６３】
続いて本実施の形態にかかる生体情報システム１の効果について説明する。入力ユニット１０は、生体情報モニタ２０の設定画面を表示すると共に入力を受け付ける表示入力部１２を有する。そして通信部１３は、表示入力部１２を介して入力された設定情報を生体情報モニタ２０に送信する。これにより生体情報モニタ２０の表示入力部２５上に設定画面を表示する必要がなくなり、生体情報モニタ２０の視認性を確保したまま設定変更ができる。
【００６４】
また入力部と表示部が一体となった表示入力部１２を操作できるため、操作者はより簡便に設定処理を行うことができる。
【００６５】
また生体情報モニタ２０に着目すると、生体情報モニタ２０は入力ユニット１０から入力された設定情報を用いてバックグラウンドで設定変更を行う。すなわち生体情報モニタ２０は、測定値や生体波形の表示を行ったまま、バックグラウンドで設定変更を行う。これにより、操作者（医療スタッフ）は被験者Ｐの状態を把握したまま素早く設定変更を行うことができる。
【００６６】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００６７】
例えば上述の構成では入力部と表示部が一体化された構成として表示入力部１２が機能したが、入力部（例えばマウスやキーボード）と表示部（表示用ディスプレイ）が別体として設けられた構成であっても、生体情報モニタ２０の視認性を確保したまま設定変更をすることができる。また上述の構成では入力部と表示部が一体化された構成として表示入力部２５が機能したが、生体情報モニタ２０に入力部（例えばマウスやキーボード）と表示部（表示用ディスプレイ）が別体として設けられた構成であってもよい。
【００６８】
また被験者Ｐから生体情報モニタ２０が直接生体信号を取得する構成であってもよい。すなわち生体情報モニタ２０は、各種センサ（ＳｐＯ２プローブ、心電図電極等）と接続するケーブルを有する構成であってもよい。
【００６９】
上述の制御部１４の処理（表示入力部１２の表示制御等）や通信部１３の処理の一部は、入力ユニット１０内で動作するコンピュータプログラムとして実現することができる。同様に制御部２２（表示入力部２５の表示制御等）や通信部２１の処理の一部は、生体情報モニタ２０内で動作するコンピュータプログラムとして実現することができる。
【００７０】
ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７１】
１  生体情報システム
１０  入力ユニット
１１  信号取得部
１２  表示入力部（入力部、表示部）
１３  通信部
１４  制御部
１５  記憶部
２０  生体情報モニタ
２１  通信部
２２  制御部
２３  スピーカ
２４  記憶部
２５  表示入力部（入力部、表示部）
Ｐ  患者
【図１】
2019087269.tif 000003
【図２】
2019087269.tif 000004
【図３】
2019087269.tif 000005
【図４】
2019087269.tif 000006
【図５】
2019087269.tif 000007
【図６】
2019087269.tif 000008
【図７】
2019087269.tif 000009
【図８】
2019087269.tif 000010
【図９】
2019087269.tif 000011